(57)【要約】【課題】キャビネット本体の上面に、スペーサブロックを介してサイドフレームを取付け、該サイドフレームにデスク用天板の一側部を載置し連結する構造の袖付きデスク装置において、ワゴンデスクとの間で部品の共用化によるコストダウンを図りつつ、強度が高く、外観性に優れた袖付きデスク装置を提供する。【解決手段】サイドフレーム５は、両側にＴ字形金具６の連結部１５を通す切欠開口１６を形成し、スペーサブロック４は上部にサイドフレームを受け入れる嵌合部１７を形成するとともに、左右一側に化粧片１８を上向き突設し、サイドフレームをキャビネット本体２の上面側縁部に前後のスペーサブロックを介して支持し、Ｔ字形金具の連結部を内側の切欠開口を通して内向きに配置し、連結部にバックフレーム７の一端を連結し、一方のスペーサブロックの化粧片を外側の切欠開口に嵌合して閉鎖した。【選択図】        図２
2008119407.tif 000002
【特許請求の範囲】
【請求項１】
引出しを多段に設けたキャビネット本体の上面に、スペーサブロックを介してサイドフレームを取付け、該サイドフレームにデスク用天板の一側部を載置し連結する構造の袖付きデスク装置において、前記サイドフレームは、前後中間位置の内部にバックフレームを連結するためのＴ字形金具の取付部を嵌合する凹部と、該凹部の両側にＴ字形金具の取付部から側方へ延びた連結部を通す切欠開口を形成したものであり、前記スペーサブロックは上部に前記サイドフレームを受け入れる嵌合部を形成するとともに、左右一側に化粧片を上向き突設したものであり、前記サイドフレームを前記キャビネット本体の上面側縁部に前後のスペーサブロックを介して支持し、前記Ｔ字形金具の取付部を凹部に嵌合し、連結部を内側の切欠開口を通して内向きに配置し、該連結部に前記バックフレームの一端を連結するとともに、一方の前記スペーサブロックの化粧片を前記サイドフレームの外側の切欠開口に嵌合して閉鎖したことを特徴とする袖付きデスク装置。
【請求項２】
前方の前記スペーサブロックとサイドフレームは、前記化粧片を内側に向けた状態で共通のボルトで前記キャビネット本体の上面に締着するとともに、後方の前記スペーサブロックとサイドフレーム及びＴ字形金具の取付部は、前記化粧片を外側に向けた状態で共通のボルトで前記キャビネット本体の上面に締着してなる請求項１記載の袖付きデスク装置。
【請求項３】
前記サイドフレームは、アルミ押出し型材で作製し、下部に中空の管体部と上部にデッキ部を有し、前記管体部は両側面が上方へ向かうにつれて外側方へ膨らんだ形状を有し、前記デッキ部は両側縁に立壁を設けて中央部に凹溝を有する形状であり、前記凹部は前記デッキ部の凹溝の底面に開口部を形成して設けるとともに、前記切欠開口は前記デッキ部の立壁と前記管体部の側面を切り欠いて形成してなる請求項１又は２記載の袖付きデスク装置。
【請求項４】
前記スペーサブロックは合成樹脂製又はアルミ合金製の一体成形品であり、前後に上下貫通した取付孔を形成するとともに、両取付孔の間の下面に前記キャビネット本体の上面に形成した通孔に嵌入するダボを突設し、前記化粧片は、前記サイドフレームの管体部の側面に対応する傾斜部と、前記デッキ部の立壁に対応する立上部とからなる請求項１〜３何れかに記載の袖付きデスク装置。
【請求項５】
前記サイドフレームのデッキ部の底面であって、前部に前後方向に向いたスリット孔を形成するとともに、後端部に螺孔を形成し、前記デスク用天板の下面側縁部の前部に前記スリット孔に係止する後向きフックを有する前連結金具を取付けるとともに、後端部に前記螺孔にネジ止めする固定片を有する後連結金具を取付けてなる請求項１〜４何れかに記載の袖付きデスク装置。
【発明の詳細な説明】
【技術分野】
【０００１】
本発明は、袖付きデスク装置に係わり、更に詳しくはキャビネット本体の上面にデスク用天板の一側部を取付けてなる袖付きデスク装置に関するものである。
【背景技術】
【０００２】
従来から、引出しを多段に設けたキャビネット本体の上面に、該キャビネット本体と略同形の平面視形状を有するワゴン用天板を取付けてワゴンデスクを構成し、あるいは前記キャビネット本体の上面にデスク用天板の一側部を取付けて片袖あるいは両袖の袖付きデスクを構成するものは既に提供されている。つまり、キャビネット本体をワゴンデスクと袖付きデスクで共用できる構造は公知である。
【０００３】
特許文献１には、袖キャビネットの上面に、スペーサブロックを介してサイドフレームを取付け、該サイドフレーム上にデスク用天板を載置し、該天板を上方から貫通したネジで前記サイドフレームに締結する構造が開示されている。この場合、前記天板は、袖キャビネットの上面にスペーサブロックとサイドフレームを介在させて連結しているので、袖キャビネットの上面との間に空間が形成されている。
【０００４】
この特許文献１に記載のデスクは、袖キャビネットの上面に取付けたサイドフレームと、他側の脚体の上端に設けたサイドフレームとの連結は、各サイドフレームの後端部に上方から凹凸嵌合し且つネジ止めした継手に、幕板の両端部を連結するとともに、その前方でバックフレームの両端部を連結して剛性を高めている。具体的には、前記継手は、平面視Ｌ字状にサイド突起部と、両サイド突起部の間に斜め内方へ延設したセンター突起部を有し、一方のサイド突起部に前記サイドフレームの後端部を連結し、両継手のセンター突起部間にバックフレームを連結した構造となっている。この場合、前記サイドフレームと幕板とは離れている方が強度的に有利であるが、前記継手が大型化してコスト高となる問題がある。
【特許文献１】特開２００３−３８２６０号公報
【発明の開示】
【発明が解決しようとする課題】
【０００５】
そこで、本発明が前述の状況に鑑み、解決しようとするところは、引出しを多段に設けたキャビネット本体の上面に、スペーサブロックを介してサイドフレームを取付け、該サイドフレームにデスク用天板の一側部を載置し連結する構造の袖付きデスク装置において、ワゴンデスクとの間で部品の共用化によるコストダウンを図りつつ、強度が高く、外観性に優れた袖付きデスク装置を提供する点にある。
【課題を解決するための手段】
【０００６】
本発明は、前述の課題解決のために、引出しを多段に設けたキャビネット本体の上面に、スペーサブロックを介してサイドフレームを取付け、該サイドフレームにデスク用天板の一側部を載置し連結する構造の袖付きデスク装置において、前記サイドフレームは、前後中間位置の内部にバックフレームを連結するためのＴ字形金具の取付部を嵌合する凹部と、該凹部の両側にＴ字形金具の取付部から側方へ延びた連結部を通す切欠開口を形成したものであり、前記スペーサブロックは上部に前記サイドフレームを受け入れる嵌合部を形成するとともに、左右一側に化粧片を上向き突設したものであり、前記サイドフレームを前記キャビネット本体の上面側縁部に前後のスペーサブロックを介して支持し、前記Ｔ字形金具の取付部を凹部に嵌合し、連結部を内側の切欠開口を通して内向きに配置し、該連結部に前記バックフレームの一端を連結するとともに、一方の前記スペーサブロックの化粧片を前記サイドフレームの外側の切欠開口に嵌合して閉鎖したことを特徴とする袖付きデスク装置を構成した（請求項１）。
【０００７】
ここで、前方の前記スペーサブロックとサイドフレームは、前記化粧片を内側に向けた状態で共通のボルトで前記キャビネット本体の上面に締着するとともに、後方の前記スペーサブロックとサイドフレーム及びＴ字形金具の取付部は、前記化粧片を外側に向けた状態で共通のボルトで前記キャビネット本体の上面に締着してなることが好ましい（請求項２）。
【０００８】
そして、前記サイドフレームは、アルミ押出し型材で作製し、下部に中空の管体部と上部にデッキ部を有し、前記管体部は両側面が上方へ向かうにつれて外側方へ膨らんだ形状を有し、前記デッキ部は両側縁に立壁を設けて中央部に凹溝を有する形状であり、前記凹部は前記デッキ部の凹溝の底面に開口部を形成して設けるとともに、前記切欠開口は前記デッキ部の立壁と前記管体部の側面を切り欠いて形成してなるのである（請求項３）。
【０００９】
また、前記スペーサブロックは合成樹脂製又はアルミ合金製の一体成形品であり、前後に上下貫通した取付孔を形成するとともに、両取付孔の間の下面に前記キャビネット本体の上面に形成した通孔に嵌入するダボを突設し、前記化粧片は、前記サイドフレームの管体部の側面に対応する傾斜部と、前記デッキ部の立壁に対応する立上部とからなるのである（請求項４）。
【００１０】
そして、前記サイドフレームのデッキ部の底面であって、前部に前後方向に向いたスリット孔を形成するとともに、後端部に螺孔を形成し、前記デスク用天板の下面側縁部の前部に前記スリット孔に係止する後向きフックを有する前連結金具を取付けるとともに、後端部に前記螺孔にネジ止めする固定片を有する後連結金具を取付けてなるのである（請求項５）。他側
【発明の効果】
【００１１】
以上にしてなる請求項１に係る発明の袖付きデスク装置は、引出しを多段に設けたキャビネット本体の上面に、スペーサブロックを介してサイドフレームを取付け、該サイドフレームにデスク用天板の一側部を載置し連結する構造であるので、キャビネット本体の上面とデスク用天板との間に空間部を有しているので、該キャビネット本体の上面の両側縁に同様にスペーサブロックを介して一対のサイドフレームを取付け、該サイドフレームにワゴン用天板を載置し連結することによりワゴンデスクを構成できるのであり、つまりワゴンデスクと共通のキャビネット本体を用い、基本的に共通のサイドフレームとスペーサブロックを用いて構成するので大幅なコストダウンが図れるのである。ここで、ワゴンデスクに用いるサイドフレームに対する袖付きデスク装置に用いるサイドフレームの相違点は、前後中間位置の内部にバックフレームを連結するためのＴ字形金具の取付部を嵌合する凹部と、該凹部の両側にＴ字形金具の取付部から側方へ延びた連結部を通す切欠開口を形成する点である。これは、サイドフレームをアルミ押出し型材から作製する場合には、この相違点は後加工の工程の差だけであるので、この点が材料素材の共通化となる。また、本発明で用いるサイドフレームには、凹部の両側に切欠開口を形成したのであるが、前記キャビネット本体を右袖又は左袖として使用する場合に、サイドフレームを上面外側の側縁に取付けることになるが、その場合も左右のサイドフレームを共用でき、前記スペーサブロックを化粧片の向きが外側方を向くように配置すれば、前記サイドフレームの外側の使用しない切欠開口を閉鎖して隠すことができるので、外観性を損なうことがないのである。また、両側に袖部を設ける場合には、両側のサイドフレームに前記Ｔ字形金具の取付部を一体に取付け、片側に袖部を設ける場合には一側のサイドフレームに前記Ｔ字形金具の取付部を一体に取付けるとともに他側の脚体の上部支持部材にＴ字形金具を取付け、そして両Ｔ字形金具の連結部をバックフレームの各端部に連結するので、フレームとしての剛性を高めることことができ、またサイドフレームの前後中間の任意位置にＴ字形金具を介してバックフレームを連結することができるので、強度を更に高くすることができ、しかもＴ字形金具は小型の部品であるのでコストダウンを図ることができるのである。また、前記スペーサブロックは、前記サイドフレームの外側に切欠開口が存在しなければ、該サイドフレームの内側に化粧片が位置するように配置して目立たなくすることができるので、前部のスペーサブロック、あるいはワゴンデスクのスペーサブロックにも同じもの用いてコストダウンを図ることができる。
【００１２】
請求項２によれば、前方の前記スペーサブロックとサイドフレームは、前記化粧片を内側に向けた状態で共通のボルトで前記キャビネット本体の上面に締着するとともに、後方の前記スペーサブロックとサイドフレーム及びＴ字形金具の取付部は、前記化粧片を外側に向けた状態で共通のボルトで前記キャビネット本体の上面に締着してなるので、最小数のボルトでスペーサブロックとサイドフレーム及びＴ字形金具をキャビネット本体の上面に取付けることができ、また前記スペーサブロックは配置する向きを変えるだけで、前記化粧片でサイドフレームの切欠開口を閉鎖したり、目立たなくなるのである。
【００１３】
請求項３によれば、前記サイドフレームは、アルミ押出し型材で作製し、下部に中空の管体部と上部にデッキ部を有するので、強度が高いとともに、切欠開口はデッキ部の立壁と管体部の側面を切り欠き、凹部はデッキ部の凹溝の底面に開口部を形成するだけで、常に一定深さの凹部を形成することができるので、Ｔ字形金具の取付部を精度良く連結することができ、また管体部は両側面が上方へ向かうにつれて外側方へ膨らんだ形状を有し、デッキ部は両側縁に立壁を設けて中央部に凹溝を有する形状であるので、前記スペーサブロックの上部に形成した嵌合部にサイドフレームの下部を嵌合することができるとともに、切欠開口に化粧片を嵌合することができるのである。
【００１４】
請求項４によれば、スペーサブロックは下面に形成したダボをキャビネット本体の上面に形成した通孔に嵌入することにより、正確に位置決めすることができ、その後の作業を容易にし、つまり前後に配置したスペーサブロックの嵌合部にサイドフレームを載置した状態で、サイドフレームとスペーサブロックを貫通させたボルトを確実にキャビネット本体の上面に形成した螺孔に螺着することができるのである。また、合成樹脂製の一体成形したスペーサブロックの化粧片は、前記サイドフレームの管体部の側面に対応する傾斜部と、前記デッキ部の立壁に対応する立上部とからなるので、該化粧片が横方向への弾性力を有しているので、前記サイドフレームに切欠開口に確実に係合させることができ、一方切欠開口が存在しない箇所ではサイドフレームの側面に押されて外側へ退避するので、嵌合部への嵌合に支障がないのである。
【００１５】
請求項５によれば、デスク用天板の下面側縁部の前部に取付けた前連結金具の後向きフックを、サイドフレームのデッキ部の底面で前部に形成した前後方向に向いたスリット孔に係止するとともに、後端部に取付けた後連結金具の固定片を、デッキ部の後端部に形成した螺孔にネジ止めするだけで、デスク用天板をキャビネット本体の上面にスペーサブロック及びサイドフレームを介して簡単に取付けることがきる。
【発明を実施するための最良の形態】
【００１６】
次に、添付図面に示した実施形態に基づき、本発明を更に詳細に説明する。図１は本発明に係る袖付きデスク装置を示し、図２〜図５はその詳細を示し、また図６〜図１１は参考としてワゴンデスクを示し、図中符号Ａは袖付きデスク装置、Ｂはワゴンデスク、１は天板、２はキャビネット本体、３は脚体、４はスペーサブロック、５はサイドフレーム、６はＴ字形金具、７はバックフレームをそれぞれ示している。
【００１７】
本発明に係る袖付きデスク装置Ａは、デスク用天板１の左右一側部をキャビネット本体２で支持するとともに、他側を通常の脚体３で支持した構造となっており、前記キャビネット本体２の上面８で外側縁部の前後部に、前記スペーサブロック４，４を配し、その上にサイドフレーム５を配して取付け、該サイドフレーム５の前後中間位置に取付けたＴ字形金具６と反対側の前記脚体３との間にバックフレーム７を渡設するとともに、更に前記キャビネット本体２の背面と前記脚体３の後端面の上部に幕板９を連結して剛性を高め、そして前記サイドフレーム５とバックフレーム７の上に前記天板１を載置して連結した構造である。
【００１８】
前記キャビネット本体２は、引出し１０，…を多段に設けたものであり、上面８には両側縁部の前後部にそれぞれ前後一対の螺孔１１，１１を形成するとともに、前部では前記螺孔１１，１１の前後中間位置の内側寄りに通孔１２を形成し、後部では前記螺孔１１，１１の前後中間位置で内側寄りと外側寄りの二箇所に通孔１２，１２を並設している。前記螺孔１１は、前記スペーサブロック４とサイドフレーム５を取付けるために用い、前記通孔１２は、前記スペーサブロック４の取付ける向きの設定と位置決めのために用いる。
【００１９】
そして、前記サイドフレーム５は、図２及び図３に示すように、前後中間位置の内部にバックフレーム７を連結するためのＴ字形金具６の取付部１３を嵌合する凹部１４と、該凹部１４の両側にＴ字形金具６の取付部１３から側方へ延びた連結部１５を通す切欠開口１６，１６を形成したものであり、前記スペーサブロック４は上部に前記サイドフレーム５を受け入れる嵌合部１７を形成するとともに、左右一側に化粧片１８を上向き突設したものであり、前記サイドフレーム５を前記キャビネット本体２の上面８の外側縁部に前後のスペーサブロック４，４を介して支持し、前記Ｔ字形金具６の取付部１３を凹部１４に嵌合し、前記連結部１５を内側の切欠開口１６を通して内向きに配置し、該連結部１５に前記バックフレーム７の一端を連結するとともに、一方の前記スペーサブロック４の化粧片１８を前記サイドフレーム５の外側の切欠開口１６に嵌合して閉鎖するようになっている。
【００２０】
また、前記スペーサブロック４は、図２及び図３に示すように、合成樹脂製の一体成形品又はアルミ合金製のダイカストによる鋳造品であり、前記嵌合部１７を設けた略直方体状の本体部の前後に上下貫通した取付孔１９，１９を前記螺孔１１，１１に対応させて形成するとともに、両取付孔１９，１９の間の下面に前記キャビネット本体の上面に形成した通孔１２に嵌入するダボ２０を突設している。ここで、前記ダボ２０は、前記通孔１２に嵌入することにより、正確な位置決めを行うことができる。更に、前記ダボ２０は、前記化粧片１８に近い位置に偏らせて設けているので、特に前方部位に対して取付ける際には、前記通孔１２は一箇所のみ形成しているので、該通孔１２にダボ２０を嵌入することにより、間違うことなく確実に前記化粧片１８を内側に向けて取付けることができるのである。
【００２１】
更に詳しくは、前記サイドフレーム５は、アルミ押出し型材で作製し、下部に中空の管体部２１と上部にデッキ部２２を有し、前記管体部２１は両側面２３，２３が上方へ向かうにつれて外側方へ膨らんだ形状を有し、前記デッキ部２２は両側縁に立壁２４，２４を設けて中央部に凹溝２５を有する形状であり、前記凹部１４は前記デッキ部２２の凹溝２５の底面２６に開口部を形成して設けるとともに、前記切欠開口１６は前記デッキ部２２の立壁２４，２４と前記管体部２１の側面２３，２３を切り欠いて形成している。また、前記サイドフレーム５の後部に形成した凹部１４内で、前記管体部２１の底板２７に前記螺孔１１，１１に対応させて貫通孔２８，２８を形成するとともに、前部においては前記デッキ部２２の底面２６と前記管体部２１の底板２７に貫通させた貫通孔２９，２９を前記螺孔１１，１１に対応させて形成している。
【００２２】
また、前記Ｔ字形金具６は、図２に示すように、平面視略Ｔ字形のアルミダイキャスト製のブロック体であり、一端部に前記サイドフレーム５の凹部１４内に嵌合する取付部１３と、該取付部１３から側方へ延びた連結部１５とからなっている。ここで、前記Ｔ字形金具６の取付部１３の前後部には、前記螺孔１１，１１に対応させて上下に貫通した取付孔３０，３０を形成するとともに、前記連結部１５には前記バックフレーム７を連結するための螺孔３１を形成している。
【００２３】
そして、図２、図４及び図５に示すように、前方の前記スペーサブロック４とサイドフレーム５は、前記化粧片１８を内側に向けた状態で共通のボルト３２，３２で前記キャビネット本体２の上面８に締着するとともに、後方の前記スペーサブロック４とサイドフレーム５及びＴ字形金具６の取付部１３は、前記化粧片１８を外側に向けた状態で共通のボルト３２，３２で前記キャビネット本体２の上面８に締着している。具体的には、前記前方のスペーサブロック４のダボ２０を、前記キャビネット本体２の上面８の前部に形成した通孔１２に嵌入して化粧片１８を内側に向けて配置するとともに、前記螺孔１１，１１と取付孔１９，１９の位置を一致させる。一方、後方のスペーサブロック４のダボ２０を、前記キャビネット本体２の上面８の後部に形成した外側の通孔１２に嵌入して化粧片１８を外側に向けて配置するとともに、前記螺孔１１，１１と取付孔１９，１９の位置を一致させる。この状態で、前記サイドフレーム５の管体部２１をそれぞれのスペーサブロック４，４の嵌合部１７，１７に載置して嵌合する。それから、前方において前記サイドフレーム５の貫通孔２９，２９とスペーサブロック４の取付孔１９，１９に上方からボルト３２，３２を挿通して、前記キャビネット本体２の上面８の螺孔１１，１１に螺合する。一方、後方においては前記Ｔ字形金具６の連結部１５にバックフレーム７の端部を嵌合するとともに、該バックフレーム７の端部の通孔３３を通したネジ３４を前記連結部１５の螺孔３１に螺合して連結した状態で、該Ｔ字形金具６の取付部１３を前記サイドフレーム５の凹部１４内に嵌合し、上方から該取付部１３の取付孔３０，３０、サイドフレーム５の貫通孔２８，２８及び後方のスペーサブロック４の取付孔１９，１９にボルト３２，３２を挿通して、前記キャビネット本体２の上面８の螺孔１１，１１に螺合する。
【００２４】
ここで、前記スペーサブロック４の化粧片１８は、前記サイドフレーム５の管体部２１の側面２３に対応する傾斜部３５と、前記デッキ部２２の立壁２４に対応する立上部３６を有し、内外方向に対して弾力性を備えているとともに、前記サイドフレーム５の外側面の形状に近似した外形状にしている。従って、前記サイドフレーム５の下部をスペーサブロック４の嵌合部１７に嵌合すると、自動的に一方の切欠開口１６内に前記化粧片１８が嵌合し、該切欠開口１６を完全に塞ぐとともに、外形においても前記サイドフレーム５の外側面を連続化するので、外観性を損なうことがないのである。
【００２５】
また、本実施形態では、図２及び図４に示すように、前記バックフレーム７の端部を前記Ｔ字形金具６を介して前記サイドフレーム５に連結するとともに、前記キャビネット本体２の上面８の内側部において支持金具３７で保持して強度を高めている。尚、前記支持金具３７は後述のように前記天板１を取付けるためにも使用する。具体的には、前記支持金具３７は、スチール板を正面視略Ｚ字状に折曲形成し、前記キャビネット本体２の上面８に取付ける取付板３８と、該取付板３８から立ち上がった立起板３９と、該立起板３９から内方へ延びた支持板４０とからなり、該支持板４０の中央部から前記立起板３９の一部にかけて切欠部４１を形成している。そして、前記支持金具３７の取付板３８に形成した通孔４２，４２に通したネジ４３，４３を前記螺孔１１，１１に螺合して取付け、前記切欠部４１に前記バックフレーム７の中間部を受け入れて保持するのである。また、前記支持板４０にも通孔４４，４４を形成している。尚、前記キャビネット本体２の上面８に螺孔１１，１１を設ける代わりに、該上面に通孔を形成し、その下方にナットを固着又は装着しても同様である。
【００２６】
次に、前記サイドフレーム５に前記天板１を取付ける構造を図２、図４及び図５に基づいて説明する。前記サイドフレーム５のデッキ部２２の底面２６であって、前部に前後方向に向いたスリット孔４５，４５を形成するとともに、後端部に螺孔４６を形成している。一方、前記デスク用天板１の下面側縁部の前部に前記スリット孔４５，４５に係止する後向きフック４９，４９を有する前連結金具４７を取付けるとともに、後端部に前記螺孔４６にネジ止めする固定片５０を有する後連結金具４８を取付けている。ここで、前記後連結金具４８は、前記固定片５０が下方へ段落ち形成され、前記サイドフレーム５のデッキ部２２の凹溝２５内に嵌るようになっており、前記前記螺孔４６に螺合するネジ５１を通す通孔５２を形成している。また、前記後連結金具４８の固定片５０は、前記天板１の後端よりも後方へ突出して露出している。
【００２７】
そして、前記天板１の下面前部に取付けた前連結金具４７の後向きフック４９，４９を、前記サイドフレーム５のスリット孔４５，４５に落とし込んで、該天板１をサイドフレーム５の上に載置し、それから該天板１を後方へ少し移動させることにより、前記後向きフック４９，４９をスリット孔４５，４５に係止し、その状態で前記後連結金具４８の固定片５０の通孔５２の位置が、前記サイドフレーム５の螺孔４６の位置に一致するので、上方からネジ５１で締結する。更に、前記支持金具３７の支持板４０の通孔４４，４４に下方からネジ５３，５３を天板１の下面に螺合する。ここで、前記天板１の前縁の下部は、下方後方へ傾斜した斜縁５４を形成してシャープな外観を呈するようにしているが、この斜縁５４の延長面に略一致させて前記サイドフレーム５の先端に傾斜カット部５５を形成している。尚、前記サイドフレーム５は、アルミ押出し型材で作製しているので、傾斜カット部５５には、その断面形状が現れるので、適宜合成樹脂製の端部キャップを装着することが好ましい。この場合も、端部キャップの外形は、前記斜縁５４の延長面に略一致させる。
【００２８】
本実施形態では、前記天板１の右側にキャビネット本体２を取付けた片袖タイプのデスクを示したが、キャビネット本体２を左側に設ける場合や、両側に取付けた両袖タイプのデスクも同様に構成できる。この場合、前記天板１の左側にキャビネット本体２を取付ける場合にも前記サイドフレーム５と前記スペーサブロック４をそのまま用い、前記スペーサブロック４は左右反転させて装着する。
【００２９】
次に、参考として図６〜図１１に基づいて、ワゴンデスクＢの構造を説明する。このワゴンデスクＢは、前記袖付きデスク装置Ａと共通構造が多いのいで、同一構成には同一符号を付してその説明は省略する。このワゴンデスクＢは、図６及び図７に示すように、前記キャビネット本体２の上面８の両側前後部に前記化粧片１８が内側になるように、それぞれスペーサブロック４，…を配置する。それから、前記サイドフレーム５と同一の型材を用いて作製するが、前記凹部１４や切欠開口１６，１６を設けてないサイドフレーム５６，５６を用いて、前後のスペーサブロック４，４の嵌合部１７に載置する。ここで、前記サイドフレーム５６は、後部にも前記サイドフレーム５の前部に設けた貫通孔２９，２９と同じ貫通孔２９，２９を形成する。そして、前記サイドフレーム５の貫通孔２９，２９と、スペーサブロック４の取付孔１９，１９に上方から挿入したボルト３２，３２を前記キャビネット本体２の上面８の螺状１１，１１に螺合する。
【００３０】
そして、前記サイドフレーム５６には、前記同様にスリット孔４５，４５と螺孔４６を形成してあり、ワゴン用天板１Ａの下面の両側前後部にそれぞれ前連結金具４７と後連結金具４８を取付けている。従って、前記同様に、前記ワゴン用天板１Ａの下面前部に取付けた前連結金具４７の後向きフック４９，４９を、前記サイドフレーム５６のスリット孔４５，４５に落とし込んで、該ワゴン用天板１Ａをサイドフレーム５６，５６の上に載置し、それから該ワゴン用天板１Ａを後方へ移動させて前記後向きフック４９，４９をスリット孔４５，４５に係止し、その状態で前記後連結金具４８の固定片５０をネジ５１で前記サイドフレーム５の螺孔４６に締結する。
【００３１】
前記ワゴンデスクＢの場合には、サイドフレーム５６に切欠開口１６が存在しないので、前記スペーサブロック４の化粧片１８は不要であるが、各スペーサブロック４の化粧片１８を内側に向けてサイドフレーム５６の内方へ隠蔽することができる。また、前記キャビネット本体２の背面には、前記袖付きデスク装置Ａの幕板９と外観性の統一を図るために、同様な外形の幕板９Ａを設けている。
【図面の簡単な説明】
【００３２】
【図１】本発明に係る袖付きデスク装置の全体斜視図である。
【図２】同じく要部の分解斜視図である。
【図３】スペーサブロックとサイドフレームの部分拡大斜視図である。
【図４】キャビネット本体の上面にスペーサブロックを介して取付けたサイドフレームを利用して天板を取付ける構造を示す省略斜視図である。
【図５】袖付きデスク装置の上部構造を示す部分縦断面図である。
【図６】参考例として示したワゴンデスクの全体斜視図である。
【図７】同じく要部の分解斜視図である。
【図８】スペーサブロックとサイドフレームの部分拡大斜視図である。
【図９】キャビネット本体の上面にスペーサブロックを介して取付けたサイドフレームを利用してワゴン用天板を取付ける構造を示す省略斜視図である。
【図１０】ワゴン用天板の下面に取付ける前連結金具と後連結金具を示した省略斜視図である。
【図１１】ワゴンデスクの上部構造を示す部分縦断面図である。
【符号の説明】
【００３３】
Ａ  デスク装置、        Ｂ  ワゴンデスク、
１  天板、              １Ａ  ワゴン用天板、
２  キャビネット本体、  ３  脚体、
４  スペーサブロック、  ５  サイドフレーム、
６  Ｔ字形金具、        ７  バックフレーム、
８  上面、              ９、９Ａ  幕板、
１０  引出し、          １１  螺孔、
１２  通孔、            １３  取付部、
１４  凹部、            １５  連結部、
１６  切欠開口、        １７  嵌合部、
１８  化粧片、          １９  取付孔、
２０  ダボ、            ２１  管体部、
２２  デッキ部、        ２３  側面、
２４  立壁、            ２５  凹溝、
２６  底面、            ２７  底板、
２８  貫通孔、          ２９  貫通孔、
３０  取付孔、          ３１  螺孔、
３２  ボルト、          ３３  通孔、
３４  ネジ、            ３５  傾斜部、
３６  立上部、          ３７  支持金具
３８  取付板、          ３９  立起板、
４０  支持板、          ４１  切欠部、
４２  通孔、            ４３  ネジ、
４４  通孔、            ４５  スリット孔、
４６  螺孔、            ４７  前連結金具、
４８  後連結金具、      ４９  後向きフック、
５０  固定片、          ５１  ネジ、
５２  通孔、            ５３  ネジ、
５４  斜縁、            ５５  傾斜カット部、
５６  サイドフレーム。
【図１】
2008119407.tif 000003
【図２】
2008119407.tif 000004
【図３】
2008119407.tif 000005
【図４】
2008119407.tif 000006
【図５】
2008119407.tif 000007
【図６】
2008119407.tif 000008
【図７】
2008119407.tif 000009
【図８】
2008119407.tif 000010
【図９】
2008119407.tif 000011
【図１０】
2008119407.tif 000012
【図１１】
2008119407.tif 000013